(57)【要約】      （修正有）【課題】第１搬送ラインにより搬送されるＩＣカードを落下部を介して落下させ、入口搬送ラインから第２搬送ラインまで送る際、入口搬送ローラーからＩＣカードに対して異物が付着することを防ぐことができる。【解決手段】第１搬送ラインの出口側に設けられた落下部と第２搬送ラインとの間に入口搬送ライン１０が設置されている。この入口搬送ライン１０は搬送ベルト１１と、搬送ベルト１１上に設けられた第１送りローラー１２および第２送りローラーとを有する。第１送りローラー１２と第２送りローラーは、いずれも内側から外側に向って徐々に径が増加する一対のテーパーローラー１３を有する。【選択図】図２
2015139928.tif 000002
【特許請求の範囲】
【請求項１】
カード用プリンタにおいて、
カードを積層して収納するカード用ホッパーと、
カード用ホッパーからのカードを搬送する第１搬送ラインと、
第１搬送ラインに沿って設けられ、カードに対して印刷を施す印刷部と、
第１搬送ラインの下方に配置され、カードを搬送する第２搬送ラインと、
第２搬送ラインに沿って設けられ、カードに対して保護シートを設ける保護シート形成部と、
第１搬送ラインの出口側に配置され、カードを落下させる落下部とを備え、
落下部と第２搬送ラインとの間に入口搬送ラインが設置され、
この入口搬送ラインは搬送ベルトと、搬送ベルト上方の送りローラーとを有し、
この送りローラーはローラー軸と、ローラー軸の両端に配置されるとともに、内側から外側へ向って徐々に径が増加する一対のテーパーローラーとを有することを特徴とするカード用プリンタ。
【請求項２】
搬送ベルトの上方に、搬送方向に沿って複数の送りローラーが設けられていることを特徴とする請求項１記載のカード用プリンタ。
【請求項３】
送りローラーが、金属製テーパーローラーを有することを特徴とする請求項１または２記載のカード用プリンタ。
【請求項４】
送りローラーの両側に、カードの両側縁を規制する一対のガイドが設けられていることを特徴とする請求項１乃至３のいずれか記載のカード用プリンタ。
【請求項５】
カードには印刷領域を画定する罫線が設けられ、一対のガイドは各テーパーローラーの外側端が罫線外方に位置するようカードの側縁を規制することを特徴とする請求項４記載のカード用プリンタ。
【発明の詳細な説明】
【技術分野】
【０００１】
本発明は、運転免許証、クレジットカード、キャッシュカード、社員証、身分証、その他のＩＤカードを作成するために用いられるカード用プリンタに関する。
【背景技術】
【０００２】
従来より運転免許証、クレジットカード、キャッシュカード、社員証、身分証、その他のＩＤカードを作成するためカード用プリンタが用いられている。
【０００３】
このカード用プリンタは多数のカードを多層に積載したＩＣカード用ホッパーを有する。そしてＩＣカード用ホッパーからのＩＣカードが一枚ずつ第１搬送ラインに移されて搬送される。
【０００４】
第１搬送ラインにより搬送されたＩＣカードはその後、カード用プリンタ内の印刷部に送られて印刷が施され、さらに第１搬送ライン上のＩＣカードは落下部を介して第２搬送ラインまで送られる。この間、落下部に設けられた書込部においてカードに内蔵されたＩＣチップに必要な情報が書込まれる。
【０００５】
次にＩＣチップに必要な情報が書込まれたＩＣカードは、落下部内で第２搬送ラインまで落下し、第２搬送ライン上を搬送される。次に第２搬送ラインにより搬送される間、ＩＣカードに対して保護シートが設けられる。
【０００６】
ところで落下部と第２搬送ラインとの間に入口搬送ラインが設置されており、この入口搬送ラインは搬送ベルトと、搬送ベルト上に配置された送りローラーとを有する。第１搬送ラインから落下部に落下したＩＣカードは、入口搬送ラインを介して第２搬送ライン側へ送られる。この場合、入口搬送ラインを通過するＩＣカードに、入口搬送ラインから異物が付着することがあり、このようにＩＣカードに異物が付着したまま、次工程においてＩＣカードに保護シートを設けると、完成品のＩＣカードに異物が残存してしまう。
【先行技術文献】
【特許文献】
【０００７】
【特許文献１】特開２００７−９９４０７号公報
【発明の概要】
【発明が解決しようとする課題】
【０００８】
本発明はこのような点を考慮してなされたものであり、第１搬送ラインにより搬送されるＩＣカードを落下部を介して落下させ、入口搬送ラインから第２搬送ラインまで送る際、入口搬送ラインでカードに対して異物が付着することを防ぐことができるカード用プリンタを提供することを目的とする。
【課題を解決するための手段】
【０００９】
本発明は、カード用プリンタにおいて、カードを積層して収納するカード用ホッパーと、カード用ホッパーからのカードを搬送する第１搬送ラインと、第１搬送ラインに沿って設けられ、カードに対して印刷を施す印刷部と、第１搬送ラインの下方に配置され、カードを搬送する第２搬送ラインと、第２搬送ラインに沿って設けられ、カードに対して保護シートを設ける保護シート形成部と、第１搬送ラインの出口側に配置され、カードを落下させる落下部とを備え、落下部と第２搬送ラインとの間に入口搬送ラインが設置され、この入口搬送ラインは搬送ベルトと、搬送ベルト上方の送りローラーとを有し、この送りローラーはローラー軸と、ローラー軸の両端に配置されるとともに、内側から外側へ向って徐々に径が増加する一対のテーパーローラーとを有することを特徴とするカード用プリンタである。
【００１０】
本発明は、搬送ベルトの上方に、搬送方向に沿って複数の送りローラーが設けられていることを特徴とするカード用プリンタである。
【００１１】
本発明は、送りローラーが、金属製テーパーローラーからなることを特徴とするカード用プリンタである。
【００１２】
本発明は、送りローラーの両側に、カードの両側縁を規制する一対のガイドが設けられていることを特徴とするカード用プリンタである。
【００１３】
本発明は、カードには印刷領域を画定する罫線が設けられ、一対のガイドは各テーパーローラーの外側端が罫線外方に位置するようカードの側縁を規制することを特徴とするカード用プリンタである。
【発明の効果】
【００１４】
以上のように本発明によれば、第１搬送ラインにより搬送されるＩＣカードを落下部を介して落下させ、入口搬送ラインから第２搬送ラインまで送る際、入口搬送ラインでカードに対して異物が付着することを防ぐことができる。
【図面の簡単な説明】
【００１５】
【図１】図１は本発明の実施の形態によるカード用プリンタの入口搬送ラインを示す図。
【図２】図２はカード用プリンタの入口搬送ラインを示す斜視図。
【図３】図３はカード用プリンタの全体を示す全体構成図。
【図４】図４（ａ）はＩＣカードの表面を示す図、図４（ｂ）はＩＣカードの裏面を示す図、図４（ｃ）は追記情報ラベルを示す図。
【図５】図５はカード用プリンタの入口搬送ラインを示す斜視図。
【図６】図６（ａ）（ｂ）（ｃ）はカード用プリンタの送りローラーとＩＣカードの位置関係を示す図。
【発明を実施するための形態】
【００１６】
以下、図面を参照して本発明の実施の形態について説明する。
図１乃至図６は本発明によるカード用プリンタの一実施の形態を示す図である。
【００１７】
本発明によるカード用プリンタ２０は、図４（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカード１の裏面３に対して裏面情報３ａを印字し、ＩＣチップ１ａ内に表面情報２ａおよび裏面情報３ａを書込んで、例えば社員カード、銀行カード、運転免許証等のＩＤカードを作製するものである。この場合、裏面情報のうちＩＣカード１の裏面３に印字できない追記情報５ａは、追記情報ラベル５に印字される。
【００１８】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字される。
【００１９】
またカード用プリンタ２０においては、ＩＣカード１のＩＣチップ１ａ内に、表面情報２ａが書込まれる。
【００２０】
ところで、ＩＣカード１の表面２には印刷領域６Ａを画定する罫線６が設けられ、ＩＣカード１の裏面３にも印刷領域７Ａを画定する罫線７が設けられている。
【００２１】
さらにカード用プリンタ２０の下流側には、ＩＣカード１のＩＣチップ１ａ内に裏面情報３ａを書き込み、かつＩＣカード１の裏面に裏面情報３ａを印字する裏面書込機能付プリンタ４０が接続されている（図３参照）。
【００２２】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部２８が接続されている（図３参照）。
【００２３】
なお、カード用プリンタ２０はＩＣカードの代わりにＩＣチップを有しないカードに対して印字のみを施すこともできる。
【００２４】
次に図３によりＩＣカード１に対して必要な情報を印字し、かつＩＣチップ１ａ内に必要な情報を書込むカード用プリンタ２０の概略を示す。
【００２５】
図３に示すようにカードプリンタ２０は、ケーシング２０Ａと、ケーシング２０Ａ内上方に設けられＩＣカード１を積層して収納するＩＣカード用ホッパー２１と、ＩＣカード用ホッパー２１からのＩＣカード１を搬送する第１搬送ライン３２と、第１搬送ライン３２に沿って配置されＩＣカード１の表面２に顔画像情報２ｂを印字するＹ，Ｍ印刷部（イエロー、マゼンタ印刷部）２４、Ｃ，Ｐ印刷部（シアン、オーバーコート印刷部）２５とを有している。このうちＹ，Ｍ印刷部２４はＩＣカード１の表面２にイエロー印刷を施すとともに、ＩＣカード１の表面２にマゼンタ印刷を施すものである。またＣ，Ｐ印刷部２５はＩＣカード１の表面２にシアン印刷を施すとともに、イエロー印刷、マゼンタ印刷およびシアン印刷が施されたＩＣカード１上のインキをＩＣカード１の表面に定着させるものである。さらにＣ，Ｐ印刷部２５の下流側にはＩＣカード１の表面２に表面情報２ａおよびＩＤ情報２ｃを印字する表面印字部２６が設けられている。この場合、Ｙ，Ｍ印刷部２４と、Ｃ，Ｐ印刷部２５と、表面印字部２６によって印刷部２４、２５、２６が構成されている。
【００２６】
表面印字部２６を通過したＩＣカード１は第１搬送ライン３２の出口側３２Ａから当接体３２ａに向って送られ、当接体３２ａに当接した後、案内路３２ｂにより案内されて垂直方向を向き、落下部３８を介して落下して、第１搬送ライン３２の下方にある第２搬送ライン３３の入口側に設けられた入口搬送ライン１０へ達する。その後、ＩＣカード１は入口搬送ライン１０から第２搬送ライン３３へ送られる。
【００２７】
このうち、落下部３８内には第１リーダライタ（書込部）２７が内蔵されている。この第１リーダライタ２７は、ＩＣカード１のＩＣチップ１ａに表面情報２ａおよびＩＤ情報２ｃを書込むものである。なお入口搬送ライン１０については後述する。
【００２８】
また第２搬送ライン３３に沿って、ＩＣカード１の表面２に印字された表面情報２ａおよび顔画像情報２ｂを保護するためＩＣカード１の表面２上に保護シート５０を設ける保護シート形成部２９が設けられている。
【００２９】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１を受け取り、第１集積部３５ａ、第２集積部３５ｂまたは裏面印字集積部３６へＩＣカード１を振分ける選別排出部３７が設けられている。
【００３０】
このうち第１集積部３５ａ、第２集積部３５ｂは、裏面３に対して印字する必要のないＩＣカード１をＩＣカード１の種類に基づいて集積するものである。また裏面印字集積部３６は、下流側の裏面書込機能付プリンタ４０によりＩＣチップ１ａ内に裏面情報３ａを書き込み、かつＩＣカード１の裏面３に対して裏面情報３ａを印字する必要があるＩＣカード１を集積するものである。
【００３１】
裏面印字集積部３６に送られたＩＣカード１は、その後裏面書込機能付プリンタ４０および追記情報ラベル発行部２８へ順次送られる。
【００３２】
ところで選別排出部３７は、ＩＣカード１のＩＣチップ１ａに書込まれたＩＤ情報２ｃを読み取る機能を有し、選別排出部３７は読み取られたＩＤ情報２ｃに基づいて、当該ＩＣカード１に印字する裏面情報３ａが有るか否か判断する。
【００３３】
そして、印字すべき裏面情報３ａが有るＩＣカード１のみが選別排出部３７により裏面印字集積部３６に送られ、印字すべき裏面情報３ａがないＩＣカード１が第１集積部３５ａおよび第２集積部３５ｂに送られる。
【００３４】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。
【００３５】
ところでカード用プリンタ２０および裏面書込機能付プリンタ４０はプリンタ制御部２０ａにより駆動制御される。
【００３６】
次に図１乃至図６により、落下部３８と第２搬送ライン３３との間に設けられた入口搬送ライン１０および保護シート形成部２９について詳細に説明する。
図１に示すように、入口搬送ライン１０は搬送ベルト１１と、搬送ベルト１１上に配置された第１送りローラー１２および第２送りローラー１６とを有し、落下部３８を介して落下するＩＣカード１を第２搬送ライン３３側へ送るようになっている。
【００３７】
また保護シート形成部２９は、保護シート５０を巻出すシート巻出部５１と、シート巻出部５１から巻出された保護シート５０を第２搬送ライン３３により送られるＩＣカード１の表面に加熱して転写する加熱ローラー５３と、ＩＣカード１表面に転写された保護シート５０を冷却する冷却ローラー５４と、ＩＣカード１表面に転写された保護シート５０の使用済みシート５０ａをＩＣカード１から剥離する剥離ローラー５５とを有している。そして剥離ローラー５５により剥離された使用済みシート５０ａは、その後シート巻取部５２に巻取られる。
【００３８】
次に入口搬送ライン１０の第１送りローラー１２および第２送りローラー１６により更に説明する。第１送りローラー１２と第２送りローラー１６は、双方とも同様の構造をもつため、ここでは第１送りローラー１２についてのみ説明する。
【００３９】
第１送りローラー１２は、２本のベルトからなる搬送ベルト１１の上方に配置されている（図２参照）。そして第１送りローラー１２は搬送ベルト１１上のＩＣカード１を上方から押圧して、搬送ベルト１１によりＩＣカード１を第２搬送ライン３３側へ搬送するようになっている。
【００４０】
図２および図５に示すように、第１送りローラー１２はステンレス製のローラー軸１４と、このローラー軸１４の両端に設けられた一対のステンレス製のテーパーローラー１３とを有し、テーパーローラー１３の外方にはローラー軸１４と同芯に延びるステンレス製の支持軸１４ａが設けられている。そしてこの一対の支持軸１４ａは、ステンレス製のガイド１５に回転自在に支持されている。
【００４１】
またガイド１５は搬送ベルト１１の両側に配置されて、ＩＣカード１の両側縁を規制するように機能する。
【００４２】
ところで第１送りローラー１２の一対のテーパーローラー１３は、大径の外側端１３ａと、小径の内側端１３ｂとを有し、テーパーローラー１３の外径は小径の内側端１３ｂから大径の外側端１３ａに向って徐々に増加している。そして各テーパーローラー１３の外側端１３ａがＩＣカード１に接触して、ＩＣカード１を下方へ押圧する。なお、テーパーローラー１３のテーパー角は、例えば５°となっている（図６（ａ）参照）。
【００４３】
上述のように、搬送ベルト１１の両側に一対のガイド１５が設けられ、この一対のガイド１５によってＩＣカード１の両側縁が規制される。
【００４４】
この場合、ＩＣカード１の各々の側縁と対応するガイド１５との間には、通常時は各々１．５ｍｍの隙間が形成されている。
【００４５】
ここでＩＣカード１の一方の側縁が対応するガイド１５側に寄ってこのガイド１５に当接した場合、ＩＣカード１の他方の側縁との間に３ｍｍの隙間が形成される（図６（ｂ）参照）。
【００４６】
上述のようにＩＣカード１の表面２には印刷領域６Ａを画定する罫線６が設けられている。ＩＣカード１の側縁が対応するガイド１５側に当接した場合、テーパーローラー１３の外側端１３ａがＩＣカード１の内側にきてＩＣカード１の表面２に接触し、接触痕を形成することも考えられる。しかしながら本実施の形態によれば、ＩＣカード１の側縁が対応するガイド１５側に当接しても、テーパーローラー１３の外側端１３ａはＩＣカード１の罫線６外方に止まるよう、ガイド１５によってＩＣカード１の側縁が規制されている（図６（ｃ）参照）。
【００４７】
このように本実施の形態によれば、第一送りローラー１２および第２送りローラー１６のうち、ステンレス製のテーパーローラー１３の外側端１３ａがＩＣカード１に接触して下方へ押圧することになる。このため第１送りローラー１２および第２送りローラー１６が、例えばウレタン製の平坦ローラーを有し、この平坦ローラーの全面でＩＣカード１を押圧する場合に比べて、接触面積が最小限となり異物が付着することを防ぐことができる。
【００４８】
またＩＣカード１の側縁がガイド１５に当接しても、テーパーローラー１３の外側端１３ａがＩＣカード１の罫線６外方に止まるようガイド１５によってＩＣカード１の側縁が規制されている。このため第１送りローラー１２および第２送りローラー１６が、例えば内側から外側へ向って徐々に径が減少する一対のステンレス製テーパーローラーを有し、このテーパーローラーでＩＣカード１を押圧する場合に比べて、ＩＣカード１の印刷領域にテーパーローラー１３の接触痕が付着することを防ぐことができる。
【００４９】
次にこのような構成からなる本実施の形態の作用について説明する。
まずＩＣカード用プリンタ２０のＩＣカード用ホッパー２１内に、複数のＩＣカード１を多層に積載したカードマガジン（図示せず）が装着される（図３）。
【００５０】
このときカードマガジン内には、印字および書込みがなされていないＩＣカード１が積載されている。
【００５１】
次に印字および書込みがなされていないＩＣカード１が、ＩＣカード用ホッパー２１から排出される。その後ＩＣカード１は第１搬送ライン３２へ送られ、ＩＣカード１は第１搬送ライン３２に沿って搬送される。この場合、第１搬送ライン３２上において、ＩＣカード１は水平方向を向いて搬送される。
【００５２】
第１搬送ライン３２に沿ってＩＣカード１が搬送される際、このＩＣカード１の表面２に対してＹ，Ｍ印刷部（イエロー、マゼンタ印刷部）２４およびＣ，Ｐ印刷部（シアン、オーバーコート印刷部）２５によって、各々イエロー印刷、マゼンタ印刷、およびシアン印刷が施され、このようにしてＩＣカード１の表面２に顔画像情報２ｂが印字される。
【００５３】
またＣ，Ｐ印刷部２５において、イエロー印刷、マゼンタ印刷、およびシアン印刷よって印字された顔画像情報２ｂのインキがＩＣカード１の表面に定着される。
【００５４】
なお、Ｙ，Ｍ印刷部２４およびＣ，Ｐ印刷部２５の各々において、ＩＣカード１は前方へ送られた後、一度戻され、その後再び前方へ送られる。例えば、Ｙ，Ｍ印刷部２４においては、ＩＣカード１は１度目の送り工程中にイエロー印刷が施され、一度戻された後、２度目の送り工程中にマゼンタ印刷が施される。
【００５５】
その後ＩＣカード１は第１搬送ライン３２によって表面印字部２６に送られ、この表面印字部２６においてＩＣカード１の表面２に表面情報２ａおよびＩＤ情報２ｃが印字される。
【００５６】
次にＩＣカード１は水平方向の姿勢を維持したまま、第１搬送ライン３２の出口側３２Ａから当接体３２ａに向って送られ、当接体３２ａに当接した後、案内路３２ｂにより案内されて垂直方向を向き、落下部３８に送られる。
【００５７】
落下部３８に送られたＩＣカード１は落下部３８から落下して入口搬送ライン１０に至る。次にＩＣカード１０は入口搬送ライン１０の搬送ベルト１１と、一対の送りローラー１２、１６との間で狭持されて第２搬送ライン３３側へ送られる。
【００５８】
この間、搬送ベルト１１上のＩＣカード１は、各送りローラー１２、１６のステンレス製のテーパーローラー１３により下方へ押圧される。この場合、各テーパーローラー１３の外側端１３ａがＩＣカード１に接触することになる。
【００５９】
このように本実施の形態によれば、第１送りローラー１２および第２送りローラー１６が、ステンレス製のテーパーローラー１３を有し、このテーパーローラー１３の外側端１３ａがＩＣカード１と接触してＩＣカード１を押圧するため、例えば第１送りローラー１２および第２送りローラー１６がウレタン製の平坦ローラーを有し、この平坦ローラーの全面でＩＣカード１を押圧する場合に比べて、接触面積が最小限となり異物が付着することを防ぐことができる。
【００６０】
またＩＣカード１の側縁がガイド１５に当接してもテーパーローラー１３の外側端１３ａがＩＣカード１の罫線６外方に止まるようガイド１５によってＩＣカード１の側縁が規制されているため、ＩＣカード１の印刷領域にテーパーローラー１３の接触痕が残ることはない。
【００６１】
なお上記実施の形態において、第１送りローラー１２および第２送りローラー１６が、ステンレス製のテーパーローラー１３を有する例を示したが、これに限らず硬質の合成樹脂、ウレタン、ゴム材等からなるテーパーローラー１３を用いてもよい。
【００６２】
また、搬送ベルト１１上に２つの第１送りローラー１２および第２送りローラー１６を設置した例を示したが、送りローラーの数は２つに限定されることはなく、１つまたは２つ以上の任意の数の送りローラーを設置することができる。
【００６３】
上述のように、表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後第２搬送ライン３３に沿って搬送されて保護シート形成部２９へ送られ、この保護シート形成部２９においてＩＣカード１の表面に保護シート５０が形成される。
【００６４】
次にＩＣカード１は第２搬送ライン３３により搬送され、選別排出部３７に達する。ＩＣカード１はこの選別排出部３７により振分けられる。すなわちＩＣカード１のうち、表面２のみに表面情報２ａ、顔画像情報２ｂおよびＩＤ情報２ｃが印字され、ＩＣチップ１ａに表面情報２ａおよびＩＤ情報２ｃが書込まれるとともに、裏面３に裏面情報３ａを印字する必要がなく、かつＩＣチップ１ａに裏面情報３ａを書込む必要のないＩＤカード１は第１集積部３５ａ、第２集積部３５ｂへ送られる。
【００６５】
他方、表面２に表面情報２ａ、顔画像情報２ｂおよびＩＤ情報２ｃが印字され、ＩＣチップ１ａに表面情報２ａおよびＩＤ情報２ｃが書込まれるとともに、裏面３にも裏面情報３ａを印字する必要があり、かつＩＣチップ１ａに裏面情報３ａを書込む必要があるＩＤカード１は裏面印字集積部３６へ送られる。
【００６６】
次に裏面印字集積部３６に送られたＩＣカード１は、その後裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印字部４２によりＩＣカード１の裏面３に裏面情報３ａが印字される。
【００６７】
このようにしてカードプリンタ２０および裏面書込機能付プリンタ４０によって、ＩＣカード１に対する印字および書込作業が終了し、印字および書込済のＩＣカード１が得られる。
【００６８】
なお、ＩＣカード用プリンタ２０および裏面書込機能付プリンタ４０における各構成部分は、上述のようにプリンタ制御部２０ａにより駆動制御される。
【００６９】
なお印字すべき裏面情報がないと判断されて第１集積部３５ａおよび第２集積部３５ｂへ送られたＩＣカード１は、裏面書込機能付プリンタ４０を経ることなく外方へ排出される。
【００７０】
次に裏面書込機能付プリンタ４０を経たＩＣカード１は、追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００７１】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【００７２】
このように本実施の形態によれば、第１送りローラー１２および第２送りローラー１６が、ステンレス製のテーパーローラー１３を有し、このテーパーローラー１３の外側端１３ａがＩＣカード１と接触してＩＣカード１を押圧するため、例えば第１送りローラー１２および第２送りローラー１６がウレタン製の平坦ローラーを有し、この平坦ローラーの全面でＩＣカード１を押圧する場合に比べて、接触面積が最小限となり異物が付着することを防ぐことができる。
【実施例】
【００７３】
次に本発明の具体的実施例について述べる。
本実施例において、第１送りローラー１２および第２送りローラー１６がウレタン製の平坦ローラーを有する比較例に比べて、ＩＣカード１に付着する異物の数は約７０％減少することを確認した。
【符号の説明】
【００７４】
１  ＩＣカード
１ａ  ＩＣチップ
２  表面
３  裏面
６  罫線
６Ａ  印刷領域
７  罫線
７Ａ  印刷領域
１０  入口搬送ライン
１１  搬送ベルト
１２  送りローラー
１３  テーパーローラー
１３ａ  外側端
１３ｂ  内側端
１４  ローラー軸
１４ａ  支持軸
１５  ガイド
２０  ＩＣカード用プリンタ
２１  ＩＣカード用ホッパー
２４  Ｙ，Ｍ印刷部
２５  Ｃ，Ｐ印刷部
２６  表面印刷部
２７  第１リーダライタ
２９  保護シート形成部
３２  第１搬送ライン
３２Ａ  出口側
３３  第２搬送ライン
３８  落下部
【図１】
2015139928.tif 000003
【図２】
2015139928.tif 000004
【図３】
2015139928.tif 000005
【図４】
2015139928.tif 000006
【図５】
2015139928.tif 000007
【図６】
2015139928.tif 000008